(57)【特許請求の範囲】
【請求項１】
無線通信システムにおいて使用される方法であって、
ユーザ装置を用いて共同データパケットを交換するように複数のセルの間で協調することと、
前記ユーザ装置を用いてアップリンク制御信号方式を管理するために、ユーザ装置からアップリンク制御チャネルを受信するように構成されたアップリンク・アンカーセルおよびアップリンク制御アタッチメントポイントとして前記複数のセルの第１のセルを指定することと、
を備える方法。
【請求項２】
前記ユーザ装置を用いてダウンリンク制御信号方式を管理するために、ダウンリンクアンカーセルおよびダウンリンク制御アタッチメントポイントとして前記複数の第２のセルを指定すること、をさらに備える請求項１に記載の方法。
【請求項３】
前記第１のセルおよび第２のセルは互いに異なる、請求項２に記載の方法。
【請求項４】
データのバックホール転送を経由して前記複数のセルの間で情報について共有すること、をさらに備える請求項１に記載の方法。
【請求項５】
前記の情報について共有することは、スケジューリング決定を含む、請求項４に記載の方法。
【請求項６】
前記複数のセルは、一緒にまたは別々に前記スケジューリング決定を決定する、請求項５に記載の方法。
【請求項７】
補助セルを経由して前記ユーザ装置の制御伝送を監視すること、をさらに備える請求項１に記載の方法。
【請求項８】
前記の監視することは、ソフトハンドオフシナリオを経由して前記ユーザ装置についてオーバーザエア（ＯＴＡ）監視すること、をさらに備える請求項７に記載の方法。
【請求項９】
ｃ−ＲＮＴＩベースの肯定応答をネゴシエートすること、をさらに備える請求項８に記載の方法。
【請求項１０】
最初のセルから後続のセルへとアンカーセルについてのハンドオフを実行すること、をさらに備える請求項１に記載の方法。
【請求項１１】
アンカーセルとして最強信号を有するセルを指定すること、をさらに備える請求項９に記載の方法。
【請求項１２】
アンカーセルとして前記セルを指定するための判断基準として制御データの現在の負荷を使用すること、をさらに備える請求項９に記載の方法。
【請求項１３】
前記の指定することについての判断基準を定義するしきい値の満足を検証すること、をさらに備える請求項９に記載の方法。
【請求項１４】
セルについての干渉を推定すること、をさらに備える請求項１に記載の方法。
【請求項１５】
請求項１に記載の方法を実行するように構成された電子デバイス。
【請求項１６】
少なくとも下記の動作、すなわち、
複数のセルの間の協調が、ユーザ装置を用いて共同データパケットを交換することを可能にすること、および、
前記ユーザ装置を用いてアップリンク制御信号方式を管理するために、アップリンク・アンカーセルおよびアップリンク制御アタッチメントポイントとして前記複数のセルの第１のセルを指定すること、
を行うように構成された少なくとも１つのプロセッサ、
を備える無線通信装置。
【請求項１７】
前記少なくとも１つのプロセッサは、さらに、前記ユーザ装置を用いてダウンリンク制御信号方式を管理するために、ダウンリンク・アンカーセルおよびダウンリンク制御アタッチメントポイントとして前記複数のセルの第２のセルを指定することを行うように構成されている、請求項１６に記載の無線通信装置。
【請求項１８】
前記第１のセルおよび第２のセルは互いに異なる、請求項１７に記載の無線通信装置。
【請求項１９】
前記少なくとも１つのプロセッサは、さらに、データのバックホール転送を経由して前記複数のセルの間で情報を共有することを可能にするように構成されている、請求項１６に記載の無線通信装置。
【請求項２０】
前記少なくとも１つのプロセッサは、さらに、補助セルを経由して前記ユーザ装置の制御伝送を監視することを可能にするように構成されている、請求項１６に記載の無線通信装置。
【請求項２１】
前記の監視することは、ソフトハンドオフシナリオを経由して前記ユーザ装置についてのオーバーザエア（ＯＴＡ）監視すること、をさらに備える、請求項２０に記載の無線通信装置。
【請求項２２】
前記少なくとも１つのプロセッサは、さらに、ｃ−ＲＮＴＩベースの肯定応答をネゴシエートすることを行うように構成されている、請求項２１に記載の無線通信装置。
【請求項２３】
前記少なくとも１つのプロセッサは、さらに、最初のセルから後続のセルへと前記アンカーセルをハンドオフすることを行うように構成されている、請求項１６に記載の無線通信装置。
【請求項２４】
前記少なくとも１つのプロセッサは、さらに、アンカーセルとして最強信号を有するセルを指定するように構成されている、請求項１６に記載の無線通信装置。
【請求項２５】
前記少なくとも１つのプロセッサは、さらに、アンカーセルとして前記セルを指定することのための判断基準を定義するしきい値の満足を検証することを行うように構成されている、請求項１６に記載の無線通信装置。
【請求項２６】
前記少なくとも１つのプロセッサは、さらに、セルについての干渉を推定するように構成されている、請求項１６に記載の無線通信装置。
【請求項２７】
複数のセルの間の協調が、ユーザ装置を用いて共同データパケットを交換することを可能にするための手段と、
前記ユーザ装置を用いてアップリンク制御信号方式を管理するために、ユーザ装置からアップリンク制御チャネルを受信するように構成されたアップリンク・アンカーセルおよびアップリンク制御アタッチメントポイントとして前記複数のセルの第１のセルを指定するための指定する手段と、
を備える装置。
【請求項２８】
前記指定する手段は、記ユーザ装置を用いてダウンリンク制御信号方式を管理するために、ダウンリンク・アンカーセルおよびダウンリンク制御アタッチメントポイントとして前記複数のセルの第２のセルを指定することを行うように構成されている、請求項２７に記載の装置。
【請求項２９】
前記指定する手段は、さらに、前記第１および第２のセルを異なるセルとして指定するように構成されている、請求項２８に記載の装置。
【請求項３０】
データのバックホール転送を経由して前記複数のセルの間で情報を交換するための手段、をさらに備える請求項２７に記載の装置。
【請求項３１】
前記アンカーセルとして前記セルを指定するための判断基準に関連したしきい値の満足を検証するための手段、をさらに備える請求項２７に記載の装置。
【請求項３２】
前記複数のセルは、一緒にまたは別々にスケジューリング決定を決定することができる、請求項２７に記載の装置。
【請求項３３】
補助セルを経由して前記ユーザ装置の制御伝送を監視するための手段、をさらに備える請求項２７に記載の装置。
【請求項３４】
前記ユーザ装置の制御伝送を監視するための前記手段は、ソフトハンドオフシナリオを経由して前記ユーザ装置のオーバーザエア（ＯＴＡ）監視することを使用する、請求項３３に記載の装置。
【請求項３５】
前記ユーザ装置の制御伝送を監視するための前記手段は、ｃ−ＲＮＴＩベースの肯定応答をネゴシエートすることを使用する、請求項３４に記載の装置。
【請求項３６】
前記指定する手段は、アンカーセルとして最強信号を有するセルを指定する、請求項２７に記載の装置。
【請求項３７】
ユーザ装置を用いて共同データパケットを交換するために複数のセルの間の協調を可能にするためのコードと、
前記ユーザ装置を用いてアップリンク制御信号方式を管理するために、ユーザ装置からアップリンク制御チャネルを受信するように構成されたアップリンク・アンカーセルおよびアップリンク制御アタッチメントポイントとして前記複数のセルの第１のセルを指定するためのコードと、
を備える非一時的コンピュータ可読記憶媒体。
【請求項３８】
前記ユーザ装置を用いてダウンリンク制御信号方式を管理するために、ダウンリンク・アンカーセルおよびダウンリンク制御アタッチメントポイントとして前記複数のセルの第２のセルを指定するためのコード、をさらに備える請求項３７に記載の非一時的コンピュータ可読記憶媒体。
【請求項３９】
データのバックホール転送を経由して前記複数のセルの間で情報を共有するためのコード、をさらに備える請求項３７に記載の非一時的コンピュータ可読記憶媒体。
【請求項４０】
補助セルを経由して前記ユーザ装置の制御伝送を監視するためのコード、をさらに備える請求項３７に記載の非一時的コンピュータ可読記憶媒体。
【請求項４１】
ｃ−ＲＮＴＩベースの肯定応答をネゴシエートするためのコード、をさらに備える請求項３７に記載の非一時的コンピュータ可読記憶媒体。
【請求項４２】
最初のセルから後続のセルへとアンカーセルをハンドオフするためのコード、をさらに備える請求項３７に記載の非一時的コンピュータ可読記憶媒体。
【請求項４３】
速いハンドオフについての要件を軽減するためのコード、をさらに備える請求項４２に記載の非一時的コンピュータ可読記憶媒体。
【請求項４４】
アンカーセルとして最強信号を有するセルを指定するためのコード、をさらに備える請求項４３に記載の非一時的コンピュータ可読記憶媒体。
【請求項４５】
前記の指定することのための判断基準を定義するしきい値の満足を検証するためのコード、をさらに備える請求項４２に記載の非一時的コンピュータ可読記憶媒体。
【請求項４６】
無線基地局における装置であって、
協調マルチポイントシステムにおいてユーザ装置を用いて制御信号方式を管理するために、アンカーセルとして制御アタッチメントポイントを指定する指定コンポーネントと、
前記アンカーセルとしてのセルの指定のための判断基準の満足を検証するしきい値検証コンポーネントと、
を備える装置。
【請求項４７】
前記協調マルチポイントシステムの一部分として予測データレートに対してＵＥをマッピングする予測レート計算モジュール、をさらに備える請求項４６に記載の装置。
【請求項４８】
前記協調マルチポイントシステムについてのスケジューリング決定を容易にする処理損失インジケータモジュール、をさらに備える請求項４６に記載の装置。
【請求項４９】
前記協調マルチポイントシステムについてのユーティリティ計算を実行するユーティリティ計算モジュール、をさらに備える請求項４６に記載の装置。
【発明の詳細な説明】
【技術分野】
【０００１】
［３５Ｕ．Ｓ．Ｃ．§１１９の下の優先権の主張］
特許のための本願は、２００８年１０月２４日に出願され、そしてこの譲受人に譲渡され、そしてこれによりここにおいて参照により明示的に組み込まれている、「ネットワークＭＩＭＯのためのアンカーセル」という名称の仮出願第６１／１０８，２９７号の優先権を主張するものである。
【０００２】
以下の説明は、一般に無線通信に関し、そしてより詳細には協調マルチポイント(Coordinated Multipoint)（ＣｏＭＰ）システムにおける制御信号方式(control signaling)に関する。
【背景技術】
【０００３】
無線通信システムは、例えば、音声、データなど、様々なタイプの通信コンテンツを提供するために広く展開される。典型的な無線通信システムは、使用可能なシステムリソース（例えば、帯域幅、送信パワー、...）を共用することにより、複数のユーザとの通信をサポートすることができる多元接続システムとすることができる。そのような多元接続システムの例は、符号分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムなどと、を含むことができる。さらに、それらのシステムは、第３世代パートナーシッププロジェクト（３ＧＰＰ）、３ＧＰＰロングタームエボリューション(long term evolution)（ＬＴＥ）、ウルトラモバイルブロードバンド(ultra mobile broadband)（ＵＭＢ）などの仕様、および／または進化データ最適化(evolution data optimized)（ＥＶ−ＤＯ）、その１つまたは複数の改訂版などのマルチキャリア無線仕様、に準拠したものとすることができる。
【０００４】
異種無線通信システムは、一般に様々なタイプの基地局を含むことができ、これらの基地局のおのおのは、異なるセルサイズに関連づけられることができる。例えば、マクロセル基地局は、一般的に、マスト、屋上、他の既存の構造などの上にインストールされたアンテナ（単数または複数）を活用する。さらに、マクロセル基地局は、多くの場合に、約１０ワットのパワー出力を有し、そして広いエリアについてのカバレージを提供することができる。フェムトセル基地局は、最近出現している別のクラスの基地局である。フェムトセル基地局は、一般に住居または小企業環境のために設計され、そしてモバイルデバイスと、バックホール(backhaul)のための既存のブロードバンドインターネット接続（例えば、デジタル加入者回線(digital subscriber line)（ＤＳＬ）、ケーブル、...）と通信するために無線技術（例えば、３ＧＰＰユニバーサルモバイル電気通信システム(Universal Mobile Telecommunications System)（ＵＭＴＳ）またはロングタームエボリューション（ＬＴＥ）、１ｘ進化データ最適化（１ｘＥＶ−ＤＯ）、...）を使用してモバイルデバイスに対する無線カバレージを提供することができる。フェムトセル基地局は、ホーム進化型ノードＢ(Home Evolved Node B)（ＨｅＮＢ）、ホームノードＢ(Home Node B)（ＨＮＢ）、フェムトセルなどと称されることもできる。他のタイプの基地局の例は、ピコセル基地局、マイクロセル基地局などを含む。
【０００５】
さらに、無線多元接続通信システムは、複数のモバイルデバイスについての通信を同時にサポートすることができる。各モバイルデバイスは、順方向リンクおよび逆方向リンクの上の伝送を経由して１つまたは複数の基地局と通信することができる。順方向リンク（またはダウンリンク）は、基地局からモバイルデバイスへの通信リンクを意味し、そして逆方向リンク（またはアップリンク）は、モバイルデバイスから基地局への通信リンクを意味する。さらにモバイルデバイスと基地局との間の通信は、単一入力単一出力(single-input single-output)（ＳＩＳＯ）システム、多入力単一出力(multiple-input single-output)（ＭＩＳＯ）システム、多入力多出力(multiple-input multiple-output)（ＭＩＭＯ）システムなどを経由して確立されることができる。さらに、モバイルデバイスは、他のモバイルデバイスと（かつ／または基地局は、他の基地局と）、ピアツーピア無線ネットワークコンフィギュレーション(peer-to-peer wireless network configurations)の中で、通信することができる。
【０００６】
さらに、多入力多出力（ＭＩＭＯ）通信システムにおいては、複数のソースおよび／または宛先（例えば、それぞれのアンテナに対応する）が、通信システムの中のデバイスの間のデータ、制御信号、および／または他の情報についての送信および受信のために利用されることができる。ＭＩＭＯ通信システムに関連したそれぞれの伝送のための複数のソースおよび／または宛先の使用は、いくつかの場合に、単一入力および／または単一出力の通信システムよりも優る高いデータレートと、改善された信号品質と、他のそのような利点とを与えることが示されてきている。ＭＩＭＯ通信システムの一例は、ネットワークＭＩＭＯ（Ｎ−ＭＩＭＯ）システム、または協調マルチポイント（ＣｏＭＰ）システムであり、これらのシステムにおいては、複数のセルは、ユーザ装置ユニット(user equipment units)（ＵＥ）など、１つまたは複数の受信するデバイスと情報を交換するために協調することができる。
【０００７】
モバイルデバイスは、一般的に、様々なタイプの１つまたは複数の最も近い基地局（例えば、マクロセル、マイクロセル、フェムトセル、ピコセル、...）の存在を検出することができる。さらに、特定の基地局は、与えられたモバイルデバイスによってアクセスされるように選択されることができる。そのようなシステム構成においては、制御チャネル情報の管理が、複雑になってしまう可能性がある。
【発明の概要】
【０００８】
下記は、そのような態様についての基本的な理解を提供するために、１つまたは複数の態様の簡略化された概要を提示するものである。この概要は、すべての企図された態様の広範囲に及ぶ概説ではなく、そしてすべての態様の重要な、または不可欠な要素を識別するようにも、任意の、またはすべての態様の範囲を示すようにも意図されてはいない。その唯一の目的は、後で提示される、より詳細な説明の前置きとして、簡略化された形式で１つまたは複数の態様のいくつかの概念を提示することである。
【０００９】
主題の革新の態様は、セル（単数または複数）をアンカーセル（単数または複数）として指定することにより、協調マルチポイント（ＣｏＭＰ）システムにおいてデータの伝送中に制御アタッチメントポイント（単数または複数）を提供する。そのような制御アタッチメントポイントは、アンカーセルが、制御信号をアドレス指定し、そして制御の観点から無線通信システムとのユーザ装置（ＵＥ）の相互作用（例えば、ＵＥに対して認可を供給すること／送信すること、ＵＥに対するダウンリンク／アップリンク上でのＡＣＫＳ、制御情報（ＣＱＩ）を送信すること／受信することなど）を表すことを可能にする。それ故に、高い接続性で単にデータを送信すること／受信することとは対照的に、主題の革新は、高品質制御接続性を維持する制御アタッチメントポイントを可能にし、そこで、アップリンクにおける指定されたアンカーセルは、ダウンリンクにおけるアンカーセルとは異なる可能性がある。ダウンリンクアンカーセルは、（アップリンク（ＵＬ）データについての認可およびＡＣＫを含めて）すべてのＤＬ制御情報が送信される送信元のセルを表す。同様に、アップリンクアンカーセルは、ＵＥが、（ＤＬデータについてのＣＱＩおよびＡＣＫを含めて）アップリンク制御チャネルを送信する送信先のセルを表す。
【００１０】
さらに、アンカーセルの選択は、信号強度（例えば、アンカーセルとして最強信号を有するセルを指定すること）や、制御データの既存の、または現在の負荷(load)（例えば、かなりの量の制御データを交換する複数のＶＯＩＰユーザを管理する別のセルではなくて、少数の最善努力ユーザを管理するセルを指定すること）などの判断基準（例えば、あらかじめ決定された判断基準）に基づいたものとすることができる。ＵＬアンカーセルは、さらに、バックホール上で他のセルとＵＥによって送信される関連情報（例えば、ＣＱＩ、ＡＣＫ）を共有することができ、そこで、セルは、スケジューリング決定(scheduling decision)を一緒に、または別々に決定することができる。したがって、スケジューリング決定（例えば、パワーレベル、ビーム方向など）は、バックホール上で交換されることができる。ＤＬアンカーセルは、さらに、スケジュールされたパケット情報を（ＣＲＳを使用している場合には、他のセルからのビーム方向を含めて）示すことができる。
【００１１】
他の補助セルは、ＵＥ制御伝送（例えば、ＵＥ  ＡＣＫ、肯定応答メッセージ）を監視することもでき、そして主題の革新のアンカーセルは、そのような監視を排除しないことを理解すべきである。特定の一態様によれば、１つのそのようなオーバーザエア(over the air)（ＯＴＡ）監視は、ソフトハンドオフシナリオ(soft handoff scenario)を含むことができ、そこではＵＥ  ＡＣＫは、２つのセルによって監視される。そのような場合には、ＡＣＫは、ｃ−ＲＮＴＩ、セルの間でネゴシエートされるショートｃ−ＲＮＴＩ(short c-RNTI)などのＵＥ  ＭＡＣＩＤに基づいてチャネル化される(channelized)可能性がある。そのような構成は、さらに、あらかじめ決定された１組のリソースを指定することができ、そこで、ＡＣＫは、実際の割当てに基づいてそれがチャネル化されるようにするのではなくて、送信される。したがって、ＵＬアンカーセル、または補助セルは、たとえそれがＤＬ割当てについて知らないとしても（例えば、ｃ−ＲＮＴＩをネゴシエートすることにより）アップリンクＡＣＫを監視することができる。
【００１２】
さらなる一態様によれば、ＵＥに対する協調トラフィック送信（ＵＥからの受信）は、（信号方式のために使用されるアンカーセルを経由して）セル境界におけるＵＥモビリティを有するハンドオフピンポン(handoff ping-pong)を軽減することなどにより、カバレージ／スループットを強化し、そしてさらに、ハンドオフの速さ(handoff agility)に対する要件を緩和する。例えば、現在のＤＬ（ＵＬ）品質が制御チャネルを閉鎖するのに十分である限り、ＤＬ（ＵＬ）アンカーセルを迅速に切り換える(switch)べき要件が、もはや存在しない（例えば、トラフィックは、多くの場合に協調してサーブされる可能性があり、そしてそれ故に、最強のＤＬ（ＵＬ）セルは、アンカーであることなしにトラフィック送信（受信）において必要とされる可能性がある）。さらに、一般的に、ＤＬ（ＵＬ）アンカーセルは、常に、トラフィック送信（受信）に関与するセルのうちの１つである必要はない。
【００１３】
関連した一態様においては、無線通信におけるＵＥの状態が変化するときに、別のセルが、アンカーセルを表すように選択されることができ（例えば、制御負荷や信号強度など、あらかじめ決定された判断基準は、制御アタッチメントの目的のための最善のセルであるとして異なるセルを指し示すことができる）、そこで、最初のアンカーセルから別のアンカーセルへの関連するハンドオフが、起こる可能性がある。そのようなハンドオフ(handing off)は、さらに、深いフェイド(deep fade)と、その関連した期間とについてのかなり高い耐性(toleration)を示すことができる。特定の一態様においては、ハンドオフシナリオにおける制御の考察は、ハンドオフ中のデータの考察より優位を占める可能性がある。例えば、マルチポイントが、送信する際に関与するので、完全な協調伝送システムにおける速いハンドオフについての要件は、軽減する可能性がある。同様に、制御負荷(control loading)、チャネル品質などの判断基準に基づいたアンカーポイントの動的スイッチングおよび変化が、インプリメントされることができる。
【００１４】
関連した態様によれば、一方法が、アンカーポイントとしてのセルの指定に関連して説明される。最初に、アンカーセルとしてのセルの指定についての判断基準が、選択されることができる。その後に、セルが、選択された判断基準の満足に基づいたアンカーセルとして指定されることができる。それに応じて、制御の観点から、無線通信システムとのＵＥの相互作用（例えば、ＵＥに対して認可を供給すること／送信すること、ＵＥに対するダウンリンク／アップリンクの上のＡＣＫＳ、制御情報（ＣＱＩ）を送信すること／受信することなど）が、容易にされる。その後に、セルは、さらにそれらの間の情報のバックホール転送に従事することができる。
【００１５】
別の態様は、無線通信装置に関する。無線通信装置は、少なくとも１つのプロセッサを含むことができる。少なくとも１つのプロセッサは、ＵＬまたはダウンリンク（ＤＬ）の中のアンカーセルとしてセル（単数または複数）を指定するように構成されていることができる。そのような少なくとも１つのプロセッサは、さらに、バックホール上で他のセルとＵＥによって送信される情報を交換すること／共有することを容易にするように構成されていることもでき、そこで、それらのセルは、一緒にまたは別々にスケジューリング決定を決定することができる。
【００１６】
主題の革新のさらに別の態様は、無線通信装置の一部分としてあらかじめ決定された機能を実行するための複数の機能コンポーネントに関する。そのような無線通信装置は、アンカーセルとしてセルを指定するための手段を含むことができる。さらに、無線通信システムは、一緒のまたは別々のスケジューリング決定を容易にするために、バックホール上で他のセルと情報を共有するための手段を含むことができる。
【００１７】
さらに別の態様は、コンピュータ可読媒体(computer-readable medium)を備えることができるコンピュータプログラムプロダクト(computer program product)に関する。コンピュータ可読媒体は、少なくとも１台のコンピュータに、アンカーセルとしてセルを指定するようにさせるためのコード、を含むことができる。コンピュータ可読媒体は、少なくとも１台のコンピュータに、効率的なスケジューリング決定を導き出すために、バックホール上で情報を受信するように、かつ／または共有することを容易にするように、させるためのコード、をさらに含むことができる。
【００１８】
主題の革新のさらなる一態様によれば、指定コンポーネントを含むことができる装置が、供給され、この指定コンポーネントは、アンカーセルとしてセルを指定する。そのような指定コンポーネントは、アンカーセルとしてセルを選択するために、信号強度（例えば、アンカーセルとして最強信号を有するセルを指定する）、制御データの既存の負荷（例えば、かなりの量の制御データを交換する複数のＶＯＩＰユーザを管理する別のセルではなくて、少数の最善努力ユーザを管理するセルを指定する）など、あらかじめ決定された判断基準を使用することができる。
【００１９】
上記の、そして関連した目的の達成のために、１つまたは複数の態様は、以下で十分に説明され、そして特許請求の範囲の中で特に指摘される特徴を備える。以下の説明と添付の図面とは、１つまたは複数の態様のある種の例示の特徴を詳細に説明している。しかしながら、これらの特徴は、様々な態様の原理が使用されることができる様々なやり方のうちの少しだけを示しているが、この説明は、すべてのそのような態様とそれらの同等物とを含むように意図される。
【図面の簡単な説明】
【００２０】
【図１】図１は、主題の革新の様々な態様を使用することができる無線通信システムの説明図である。
【図２】図２は、協調マルチポイント（ＣｏＭＰ）システムにおけるデータの伝送中の制御アタッチメントポイント（単数または複数）の指定のための特定の態様を示している。
【図３】図３は、主題の革新の一態様に従ってアンカーセルとしてセルを指定する指定コンポーネントを示している。
【図４】図４は、あらかじめ決定された判断基準に基づいた、セルの間の指定されたアンカーポイントの動的スイッチングおよび変化を示している。
【図５】図５は、アンカーセルとしてセルを指定することに関連して使用されることができる協調セルを用いた特定の協調マルチポイント（ＣｏＭＰ）システムオペレーションを示している。
【図６】図６は、主題の革新の一態様による、アンカーセルを指定する関連した方法を示している。
【図７】図７は、主題の革新の特定の態様に従って、１つのセルから別のセルへと制御アタッチメントポイントを動的に切り換える関連した方法を示している。
【図８】図８は、アンカーセル（単数または複数）としてセル（単数または複数）を指定することを経由して、協調マルチポイント（ＣｏＭＰ）システムにおいてデータの伝送中に制御アタッチメントポイント（単数または複数）を使用することができる例示の通信システムを示している。
【図９】図９は、協調マルチポイント（ＣｏＭＰ）システムにおいてデータの伝送中に制御アタッチメントポイント（単数または複数）を提供するシステムを示している。
【図１０】図１０は、主題の革新の制御アタッチメントポイントを組み込むことができる例示の無線通信システムを示している。
【図１１】図１１は、協調マルチポイント（ＣｏＭＰ）システムにおいてデータの伝送中にアタッチメントポイントを指定することを可能にするシステムの説明図である。
【図１２】図１２は、協調マルチポイント（ＣｏＭＰ）システムにおいてデータの伝送中に制御アタッチメントポイント（単数または複数）との相互作用のための主題の革新のさらなる一態様によるモバイルデバイスを示している。
【詳細な説明】
【００２１】
様々な態様が、次に図面を参照して説明される。以下の説明においては、説明の目的のために、非常に多くの特定の詳細が、１つまたは複数の態様についての完全な理解を提供するために述べられる。しかしながら、そのような態様（単数または複数）は、これらの特定の詳細なしに実行されることができることを明らかにすることができる。
【００２２】
本願において使用されるように、「コンポーネント」、「モジュール」、「システム」などの用語は、それだけには限定されないが、ハードウェア、ファームウェア、ハードウェアとソフトウェアとの組合せ、ソフトウェア、実行中のソフトウェアなど、コンピュータに関連したエンティティを含むように意図される。例えば、コンポーネントは、それだけには限定されないが、プロセッサ上で実行されるプロセス、プロセッサ、オブジェクト、実行形式(executable)、実行スレッド(thread of execution)、プログラム、および／またはコンピュータ、とすることができる。例証として、コンピューティングデバイス上で実行されるアプリケーションも、そのコンピューティングデバイスも、両方ともにコンポーネントとすることができる。１つまたは複数のコンポーネントは、プロセス内に存在することができ、かつ／または実行スレッドとコンポーネントとは、１台のコンピュータ上に局所化され、かつ／または２台以上のコンピュータの間で分散されることができる。さらに、これらのコンポーネントは、様々なデータ構造をその上に記憶している様々なコンピュータ可読媒体から実行することができる。コンポーネントは、ローカルシステム、分散システムの中で別のコンポーネントと、かつ／またはインターネットなどのネットワークを通して信号を経由して他のシステムと、対話する１つのコンポーネントからのデータなど、１つまたは複数のデータパケットを有する信号に従ってなど、ローカルおよび／またはリモートのプロセスを経由して通信することができる。
【００２３】
さらに、様々な態様が、端末に関連してここにおいて説明され、この端末は、有線端末または無線端末とすることができる。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ装置(user equipment)（ＵＥ）、と呼ばれることもできる。無線端末は、セルラ電話、衛星電話、コードレス電話、セッション開始プロトコル(Session Initiation Protocol)（ＳＩＰ）電話、無線ローカルループ(wireless local loop)（ＷＬＬ）局、携帯型個人情報端末(personal digital assistant)（ＰＤＡ）、無線接続能力を有するハンドヘルドデバイス、コンピューティングデバイス、または無線モデムに接続された他の処理デバイス、とすることができる。さらに、様々な態様は、ここにおいて基地局と関連して説明される。基地局は、無線端末（単数または複数）と通信するために利用されることができ、そしてアクセスポイント、ノードＢ(Node B)、進化型ノードＢ(Evolved Node B)（ｅＮｏｄｅ  Ｂ、ｅＮＢ）、フェムトセル、ピコセル、マイクロセル、マクロセル、ホーム進化型ノードＢ（ＨｅＮＢ）、ホームノードＢ（ＨＮＢ）、または何らかの他の専門用語、と称されることもできる。
【００２４】
さらに、用語「または(or)」は、排他的「論理和(or)」ではなくて、包含的「論理和(or)」を意味するように意図される。すなわち、別の方法で指定され、あるいは文脈から明らかでない限り、フレーズ「Ｘは、ＡまたはＢを使用する(X employs A or B)」は、普通の包含的な置換のうちの任意のものを意味するように意図される。すなわち、フレーズ「Ｘは、ＡまたはＢを使用する」は、以下のインスタンス：Ｘは、Ａを使用する；Ｘは、Ｂを使用する；あるいはＸは、ＡとＢとの両方を使用する；のうちのどれによっても満たされる。さらに、本願と、添付の特許請求の範囲とにおいて使用されるような冠詞「１つの(a)」および「１つの(an)」は、単数形に指示されるように、別の方法で指定され、あるいは文脈から明らかでない限り、一般に、「１つまたは複数(one or more)」を意味するように解釈されるべきである。
【００２５】
ここにおいて説明される技法は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一キャリア周波数分割多元接続(single carrier-frequency division multiple access)（ＳＣ−ＦＤＭＡ）システム、他のシステムなど、様々な無線通信システムのために使用されることができる。用語「システム」と、「ネットワーク」とは、多くの場合に交換可能に使用される。ＣＤＭＡシステムは、ユニバーサル地上波無線アクセス(Universal Terrestrial Radio Access)（ＵＴＲＡ）、ＣＤＭＡ２０００などの無線技術をインプリメントすることができる。ＵＴＲＡは、広帯域−ＣＤＭＡ(Wideband-CDMA)（Ｗ−ＣＤＭＡ）と、ＣＤＭＡの他の変形と、を含む。さらに、ＣＤＭＡ２０００は、ＩＳ−２０００規格と、ＩＳ−９５規格と、ＩＳ−８５６規格と、をカバーする。ＴＤＭＡシステムは、移動通信用グローバルシステム(Global System for Mobile Communications)（ＧＳＭ（登録商標））などの無線技術をインプリメントすることができる。ＯＦＤＭＡシステムは、進化型(Evolved)ＵＴＲＡ（Ｅ−ＵＴＲＡ）、ウルトラモバイルブロードバンド(Ultra Mobile Broadband)（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ(Flash-OFDM)などの無線技術をインプリメントすることができる。ＵＴＲＡと、Ｅ−ＵＴＲＡとは、ユニバーサルモバイル電気通信システム(Universal Mobile Telecommunication System)（ＵＭＴＳ）の一部分である。３ＧＰＰロングタームエボリューション（ＬＴＥ）は、Ｅ−ＵＴＲＡを使用したＵＭＴＳのリリースであり、これは、ダウンリンク上のＯＦＤＭＡと、アップリンク上のＳＣ−ＦＤＭＡとを使用する。ＵＴＲＡ、Ｅ−ＵＴＲＡ、ＵＭＴＳ、ＬＴＥおよびＧＳＭ（登録商標）は、「第３世代パートナーシッププロジェクト(3rd Generation Partnership Project)」（３ＧＰＰ）と名付けられる組織からの文書の中で説明される。さらに、ＣＤＭＡ２０００およびウルトラモバイルブロードバンド（ＵＭＢ）は、「第３世代パートナーシッププロジェクト２(3rd Generation Partnership Project 2)」（３ＧＰＰ２）と名付けられる組織からの文書の中で説明される。さらに、そのような無線通信システムは、多くの場合に、対になっていないライセンスされていないスペクトル、８０２．ｘｘ無線ＬＡＮ、ブルートゥース(BLUETOOTH（登録商標）)、および他の任意の短距離または長距離の無線通信技法を使用したピアツーピア（例えば、モバイルツーモバイル）アドホックネットワークシステム、をさらに含むことができる。
【００２６】
単一キャリア周波数分割多元接続（ＳＣ−ＦＤＭＡ）は、単一キャリア変調と、周波数ドメイン等化とを利用している。ＳＣ−ＦＤＭＡは、ＯＦＤＭＡシステムと同様な性能と、実質的に同じ全般的な複雑さと、を有する。ＳＣ−ＦＤＭＡ信号は、その固有の単一キャリア構造のために、より低いピーク対平均電力比(peak-to-average power ratio)（ＰＡＰＲ）を有する。ＳＣ−ＦＤＭＡは、例えば、より低いＰＡＰＲが、送信パワー効率の観点からアクセス端末を非常に有利にする場合のアップリンク通信において使用されることができる。したがって、ＳＣ−ＦＤＭＡは、３ＧＰＰロングタームエボリューション（ＬＴＥ）または進化型ＵＴＲＡにおけるアップリンク多元接続スキームとしてインプリメントされることができる。
【００２７】
ここにおいて説明される様々な態様または特徴は、標準のプログラミング技法および／またはエンジニアリング技法を使用した方法、装置、または製造の物品としてインプリメントされることができる。ここにおいて使用されるような用語、装置は、任意のコンピュータ可読なデバイス、キャリア、または媒体からアクセス可能なコンピュータプログラムを包含するように意図される。例えば、コンピュータ可読媒体は、それだけには限定されないが、磁気ストレージデバイス（例えば、ハードディスク、フロッピー（登録商標）ディスク、磁気ストリップなど）、光ディスク（例えば、コンパクトディスク(compact disk)（ＣＤ）、デジタル多用途ディスク(digital versatile disk)（ＤＶＤ）など）、スマートカード、およびフラッシュメモリデバイス（例えば、ＥＰＲＯＭ、カード、スティック、キードライブなど）を含むことができる。さらに、ここにおいて説明される様々なストレージ媒体は、情報を記憶するための１つまたは複数のデバイス、および／または他の機械可読媒体(machine-readable media)を表すことができる。用語「機械可読媒体」は、それだけには限定されずに、命令（単数または複数）および／またはデータを記憶すること、含むこと、および／または搬送することのできる無線チャネルと、様々な他の媒体と、を含むことができる。
【００２８】
図１は、幾人かのユーザをサポートするように構成された例示の無線通信システム１００を示しており、このシステムにおいては、アンカーセルを指定するための、主題の革新の様々な態様が、インプリメントされることができる。システム１００は、例えば、マクロセル１０２ａ〜１０２ｇなど、複数のセル１０２についての通信を提供する。各マクロセル１０２ａ〜１０２ｇは、対応するアクセスポイント１０４（アクセスポイント１０４ａ〜１０４ｇなど）によってサービスされる。各セル１０２ａ〜１０２ｇは、さらに、１つまたは複数のセクタに分割されることができる。様々なデバイス１０６（デバイス１０６ａ〜１０６ｋを含む）は、システム１００全体を通して分散される。各デバイスは、例えば、デバイス１０６がアクティブであるかどうかと、デバイス１０６が、ソフトハンドオフ中であるかどうかとに応じて、与えられた瞬間に、順方向リンク（ＦＬ）もしくはダウンリンク（ＤＬ）および／または逆方向リンク（ＲＬ）もしくはアップリンク（ＵＬ）の上で１つまたは複数のアクセスポイント１０４と通信することができる。
【００２９】
そのようなシステムにおいては、ＣｏＭＰ共同処理(CoMP Joint Processing)は、複数のセルが、１つまたは複数のレイヤを使用してパケットをＵＥへと一緒に送信する技法を表す。さらに、無線通信システム１００は、大きな地理的地域上でサービスを提供することができ、そこで、マクロセル１０２ａ〜１０２ｇは、無線通信システムにおいてアンカーポイントとしてセル（単数または複数）を指定しながら、近傍において少数のブロックをカバーすることができる。アンカーセルとしてのそのような指定は、協調マルチポイント（ＣｏＭＰ）システムにおいてデータの伝送中に制御アタッチメントポイント（単数または複数）を提供する。それ故に、アタッチメントポイントは、アンカーセルが、制御信号をアドレス指定し、そして制御の観点から無線通信システムとのユーザ装置（ＵＥ）の相互作用（例えば、ＵＥに対して認可を供給すること／送信すること、ＵＥに対するダウンリンク／アップリンク上のＡＣＫＳ、制御情報（ＣＱＩ）を送信すること／受信することなど）を表すことを可能にする。それ故に、高い接続性で単にデータを送信すること／受信することとは対照的に、主題の革新は、制御接続性を維持する制御アタッチメントポイントを可能にし、そこで、アップリンクにおけるアンカーセルは、ダウンリンクにおけるアンカーセルと同じ、または異なる可能性がある。ダウンリンクアンカーセルは、（ＵＬデータについての認可およびＡＣＫを含めて）すべてのＤＬ制御情報が送信される送信元のセルを表す。同様に、アップリンクアンカーセルは、ＵＥが、（ＤＬデータについてのＣＱＩおよびＡＣＫを含めて）アップリンク制御チャネルを送信する送信先のセルを表す。
【００３０】
図２は、アンカーセル（単数または複数）２１０としてセル（単数または複数）を指定することを経由して、協調マルチポイント（ＣｏＭＰ）システムにおいてデータの伝送中に制御アタッチメントポイント（単数または複数）の指定のための特定の態様を示している。一般的に、ネットワークＭＩＭＯ（Ｎ−ＭＩＭＯ）共同処理スキームにおいて、異なるセルは、１つまたは複数レシーバ（ＵＥ）へと情報を送信するために協調する。例えば、変調シンボル「ｘ」をＵＥ１へと送信するセル１（図示されず）と、変調シンボル「ｙ」をＵＥ２へと送信するセル２との代わりに、セル１は、ａｘ＋ｂｙを送信することができるが、セル２は、ｃｘ＋ｄｙを送信することができる。係数ａ、ｂ、ｃ、ｄは、どちらかのユーザ、システム容量などについての信号対雑音比(signal to noise ratio)（ＳＮＲ）など、様々なメトリクス(metrics)を最適化するために選択されることができる。
【００３１】
それに応じて、Ｎ−ＭＩＭＯ共同伝送においては、複数のパケットは、複数のセルから送信され、これらのセルは、同じノードＢの一部分であってもよく、あるいはそうでなくてもよい。逆に、アップリンク上では、複数のＵＥからのパケットは、複数のセルで一緒に受信されることができる。ネットワークＭＩＭＯ（ＣｏＭＰ）についての他のスキームは、分散されたビーム形成を含んでいる（これは、パケット共有化を必要としない）。以上で説明されるように、主題の革新の特定の一態様は、アンカーセルとして表されるようにセルを指定することを経由して、Ｎ−ＭＩＭＯ（ＣｏＭＰ）において異なるノードＢの間での制御チャネル情報の管理を容易にする。それ故に、ＵＥに対する共同トラフィック伝送（ＵＥからの受信）は、信号伝達中にそのようなアンカーセルを経由して強化される。さらに、ハンドオフの速さに対する要件は、セル境界におけるＵＥモビリティを有するハンドオフピンポンを軽減することなどにより、さらに緩和されることができる。例えば、現在のＤＬ（ＵＬ）品質が、制御チャネルを閉鎖するのに十分である限り、ＤＬ（ＵＬ）アンカーセルを迅速に切り換える(switch)べき要件が、もはや存在しない（例えば、トラフィックは、多くの場合に協調してサーブされる可能性があり、そしてそれ故に、最強のＤＬ（ＵＬ）セルは、アンカーであることなしにトラフィック送信（受信）において必要とされる可能性がある）。さらに、ＤＬ（ＵＬ）アンカーセルは、常に、トラフィック送信（受信）に関与するセルのうちの１つである必要はない。ダウンリンクとアップリンクとについてのアンカーセルが、一致する、またはその代わりに異なる可能性があることを理解すべきである。
【００３２】
図３は、指定コンポーネント３１０を含む例示の無線基地局３０３を示しており、この指定コンポーネントは、主題の革新の一態様に従ってアンカーセルとしてセルを指定する。例えば、無線基地局３０３（例えば、ｅＮＢ）は、それ自体、それが、ＵＥについてのアンカーセルになるかどうかを決定するために、他のｅＮＢとネゴシエートすることができる。アンカーセルの選択は、信号強度（例えば、アンカーセルとして最強信号を有するセルを指定すること）や、制御データの既存の負荷（例えば、かなりの量の制御データを交換する複数のＶＯＩＰユーザを管理する別のセルではなくて、少数の最善努力ユーザを管理するセルを指定すること）などの判断基準に基づいたものとすることができる。したがって、しきい値検証コンポーネント３２０は、あらかじめ決定された判断基準に関連する値が、あらかじめ決定されたしきい値を超過しているか、または下回っているかを検証し、そしてそうである場合、セルは、アンカーセルとしての指定のために選択されることができる（例えば、しきい値は、望ましいあらかじめ決定された値を定義している）。そのようなアンカーセルは、制御信号をアドレス指定し、そして制御の観点から無線通信システムとのユーザ装置（ＵＥ）の相互作用（例えば、ＵＥに対して認可を供給すること／送信すること、ＵＥに対するダウンリンク／アップリンク上のＡＣＫＳ、制御情報（ＣＱＩ）を送信すること／受信することなど）を表すアタッチメントポイントとしての機能を果たすことができる。ダウンリンクアンカーセルは、（ＵＬデータについての認可およびＡＣＫを含めて）すべてのＤＬ制御情報が送信される送信元のセルを表す。同様に、アップリンクアンカーセルは、ＵＥが、（ＤＬデータについてのＣＱＩおよびＡＣＫを含めて）アップリンク制御チャネルを送信する送信先のセルを表す。さらに、ＵＬアンカーセルは、バックホール上で他のセルとＵＥによって送信される関連情報（例えば、ＣＱＩ、ＡＣＫ）を共有することができ、そこで、セルは、スケジューリング決定を一緒に、または別々に決定することができる。さらに、スケジューリング決定（例えば、パワーレベル、ビーム方向など）は、バックホール上で交換されることができる。ＤＬアンカーセルは、スケジュールされたパケット情報を（ＣＲＳを使用している場合には、他のセルからのビーム方向を含めて）示すことができる。主題の革新の様々な態様を用いてＣｏＭＰスケジューリングをインプリメントする状況においては、ＤＬ／ＵＬについてのスケジューリングエンティティ（単数または複数）は、それぞれのアンカー内の同一の場所に配置されていてもよく、あるいはそうでなくてもよいことを理解すべきである。例えば、ＵＥのＤＬスケジューラは、そのＤＬアンカーと共に同一の場所に配置されて（そしてそれ故に、チャネル状態に応じて動的に変化して）いてもよく、あるいは代わりに（準）静的に変化する別個のネットワークエンティティ（ボックス）であってもよい。
【００３３】
他の補助セルは、ＵＥ制御伝送（例えば、ＵＥ  ＡＣＫ）を監視することもでき、そして主題の革新のアンカーセル（単数または複数）を使用することは、そのような監視を排除しないことをさらに理解すべきである。特定の一態様によれば、１つのそのようなＯＴＡ監視は、ソフトハンドオフの場合を含むことができ、そこではＵＥ  ＡＣＫは、２つのセルによって監視される。そのようなシナリオにおいては、ＡＣＫは、ｃ−ＲＮＴＩ（例えば、ｃ−ＲＮＴＩベースの肯定応答）、セルの間でネゴシエートされるショートｃ−ＲＮＴＩなどのＵＥ  ＭＡＣＩＤに基づいてチャネル化される可能性がある。そのような構成は、さらに、あらかじめ決定された１組のリソースを指定することができ、そこで、ＡＣＫは、実際の割当てに基づいてそれがチャネル化されるようにするのではなくて、送信される。したがって、ＵＬアンカーセル、または補助セルは、たとえそれがＤＬ割当てについて知らないとしてもアップリンクＡＣＫを監視することができる。
【００３４】
図４は、制御負荷、チャネル品質などの判断基準に基づいてセル４６０（４１０）、４６２、４６４の間の指定されたアンカーポイントの動的スイッチングおよび変化を示している。したがって、無線通信におけるＵＥ４１６の状態が変化するときに、別のセルが、アンカーセルを表すように選択されることができ（例えば、制御負荷や信号強度など、あらかじめ決定された判断基準は、制御アタッチメントの目的のための最善セルであるとして異なるセルを指し示すことができる）、そこで、最初のセル（アンカーセルとして指定されている）から新しいアンカーセルになる後続のセルへの関連するハンドオフが、起こる。そのようなハンドオフは、さらに、深いフェイドと、その関連した期間とに関してのかなり高い耐性を示すことができる。特定の一態様においては、ハンドオフシナリオにおける制御の考察は、ハンドオフ中のデータの考察より優位を占める可能性がある。例えば、マルチポイントが、送信する際に関与するので、完全な協調伝送システムにおける高速ハンドオフについての要件は、減少する可能性がある。さらに、制御負荷、チャネル品質などの判断基準に基づいたアンカーポイントの動的スイッチングおよび変化が、インプリメントされることができる。
【００３５】
図示されるように、システム４００は、１つまたは複数のネットワークセル（例えば、ノードＢ、進化型ノードＢ（ｅＮＢ）、基地局、アクセスポイントなど）４１０を含むことができ、これらのネットワークセルは、それぞれのユーザ装置ユニット（ＵＥ、移動局、端末、ユーザデバイスなどとも称される）４１６と通信することができる。一例においては、それぞれのセル４１０は、マクロセル、フェムトセル（例えば、アクセスポイント基地局またはホームノードＢ（ＨＮＢ））に関連するエリア、および／または他の適切な任意のタイプのカバレージエリアなど、適切な任意のカバレージエリアについての通信カバレージに対応し、かつ／または提供することができる。
【００３６】
一態様に従って、与えられたＵＥ４１６は、適切な任意の数のネットワークセル４１０と通信することができる。例えば、ＵＥ４１６は、セル４１０に対して１つまたは複数のアップリンク（ＵＬ、逆方向リンク（ＲＬ）とも称される）４１８の通信を行うことができ、それぞれのセルは、ＵＥ４１６に対して１つまたは複数のダウンリンク（ＤＬ、順方向リンク（ＦＬ）とも称される）４２０の通信を行うことができる。一例においては、システム４００は、１つまたは複数のネットワーク多入力多出力（ネットワークＭＩＭＯまたはＮ−ＭＩＭＯ）技法、協調マルチポイント（ＣｏＭＰ）技法、および／または他の技法を利用することができ、これらの技法により、単一のＵＥ４１６は、複数の異種のセル（４１０）４６０および／またはそれらのセクタと通信することが可能にされる。追加して、または代わりに、セル（４１０）４６０と、ＵＥ４１６との間の通信は、他の近隣セル（４１０）４６０および／またはＵＥ４１６に対する強い支配的な干渉をもたらす可能性がある。例えば、ＵＥ４１６が、ＵＥ４１６をサーブするセル（４１０）４６０に対応するエリアの端に位置する場合、ＵＥ４１６とそのサービングセルとの間の通信は、ＵＥ４１６が様々な状況の下で通信していないＵＥ４１６の範囲内の１つまたは複数の他のセル４１０に対して干渉を引き起こす可能性がある。これは、例えば、ＵＥ４１６が、フェムトセルのカバレージエリア内に位置する場合に、フェムトセルを含むシステムの中で起こり、このフェムトセルは、次には、マクロセルのカバレージエリアに埋め込まれる。
【００３７】
別の態様に従って、システム４００の中のそれぞれのセル４１６は、与えられたＵＥ４１６との通信に関連するデータレートを増大させるために、かつ／またはシステム４００の中の他のセル４１０および／またはＵＥに対して引き起こされる干渉を低減させるために、１つまたは複数の協調戦略(cooperation strategies)に従って協調することができる。一例においては、システム４００の中のそれぞれのセル４１０、４６０は、協調沈黙(coordinated silencing)（ＣＳ）、ｅＮｏｄｅＢ間（セル間）パケット共有化を経由した共同伝送(joint transmission)（ＪＴ）、協調ビーム形成(coordinated beamforming)（ＣＢＦ）、および／または当技術分野において一般に知られているような他の適切な任意のセル協調技法（単数または複数）など、１つまたは複数のＵＥ４１６に対する伝送のための複数の協調技法を利用するように動作可能とすることができる。別の例においては、それぞれのセル協調技法など、システム４００の様々な動作態様は、様々な協調技法に基づいて通信のために利用されることができ、そこでは、それぞれのＵＥ４１６は、さらに、共同通信を経由してサーブされることができ、この共同通信は、１つまたは複数のセル４１０によって実行される最低限のユーティリティ計算（例えば、ユーティリティ計算モジュールを経由した−図示されず）および／または他の適切な任意のメトリック(metric)に少なくとも部分的に基づいたものとすることができる。
【００３８】
一例においては、与えられたＵＥ４１６に関連するユーティリティは、チャネル品質、ユーザ優先レベルなどの観点で定義されることができる。一態様に従って、ユーティリティ計算モジュール（図示されず）は、ＵＥ４１６によって観察されるそれぞれの信号のチャネルコンポーネントと干渉コンポーネントとを推定すること、および／またはそれ以外の方法で評価することにより、与えられたＵＥ４１６についての１つまたは複数のチャネル品質メトリクスを計算することができる。例えば、ＵＥ４１６によって観察されるチャネル品質および／または干渉レベルに関連した情報は、チャネル／干渉フィードバックモジュールおよび／または他の適切な任意の手段を経由してＵＥ４１６からコンピューティングセルへと報告されることができる。
【００３９】
図５は、アンカーセルとしてセルを指定することに関連して使用されることができる特定の協調マルチポイント（ＣｏＭＰ）システムオペレーションを示している。一般的に、ＵＥと通信する単一セルを伴う従来のシステムにおいては、ＣＱＩ情報は、それぞれの非サービングセルについての干渉パラメータとは対照的に、一般に、最大のサポート可能なデータレートとしてＵＥからセルへと報告される。しかしながら、そのような一般化された報告は、例えば、ＵＥによって利用されるチャネルインプリメンテーション、ＵＥによって活用されるソフト復号化技法、または他のそのような原因の結果として、ＵＥによって招かれる処理損失に関する情報を提供しない。その代わりに、そのような処理またはインプリメンテーションの損失は、ＵＥによって提供される一般化されたＣＱＩ報告の中に吸収される。さらに、戦略の選択が、一般にネットワークによって実行されるので、与えられたＵＥに関連する処理損失は、Ｎ−ＭＩＭＯ通信について（例えば、増大する数のサービングセルについて）スケーリングすることはない(does not scale)。
【００４０】
対照的に、そしてＮ−ＭＩＭＯまたはＣｏＭＰの通信の状況においては、与えられたＵＥ５２０に関連する１つまたは複数のセル５１０は、ＵＥ５２０との与えられた通信に関与すべきそれぞれのセル５１０の選択を容易にすることができ、そして結果として、複数の異なるセル５１０からのチャネル情報と干渉とが、ＵＥ５２０において観察されることができる。その後に、様々なセル５１０と、対応するＵＥ５２０とに対応するキャリアおよび干渉の推定値が、得られることができ、これは、それぞれのＵＥ５２０を予測データレートへとマッピングする予測レート計算モジュール(projected rate computation module)５１８によって活用されることができる。それに応じて、予測レート計算モジュール５１８は、例えば、それぞれのＵＥ５２０に対応するユーザごとのデータレートを決定することを容易にするために、様々なＵＥ５２０の処理損失に関連した情報を利用することができる。
【００４１】
同様に、通信のために利用されるべきそれぞれのセル協調技法は、ユーティリティ計算モジュール５１２によって実行される最低限のユーティリティ計算に少なくとも部分的に基づいたものとすることができる。
【００４２】
さらに、ユーザの処理またはインプリメンテーションの損失に関連した情報は、予測レート計算モジュール５１８および／またはユーティリティ計算モジュール５１２へと供給されることができる。例えば、処理損失は、ＵＥ特有のパラメータとして定義されることができ、このパラメータは、さらに、関連する処理損失インジケータモジュール５１２を経由してそれぞれのＵＥ５２０からフィードバックとして提供されることができる。したがって、例えば、ＵＥ５２０は、処理損失情報が、後でスケジューリング決定を実行する際にセル５１０によって使用されることができるように、処理損失インジケータモジュール５１２を経由してＵＥ５２０に関連する（例えば、ｄＢおよび／または他の適切な任意の単位（単数または複数）の）処理損失に関連した１つまたは複数のビットを含む長形式(long-form)のフィードバックをセル５１０に対して提供するように構成されていることができる。別の例として、最大処理損失は、システム５００についての最小性能仕様(minimum performance specification)（ＭＰＳ）を経由してそれぞれのＵＥおよび／またはＵＥのグループ（例えば、ＵＥカテゴリについての）についてシステム５００の内部で定義されることができる。それに応じて、そのようにして得られる最大処理損失は、与えられたＵＥ５２０によって報告される処理損失に対する限界としての機能を果たすことができ、あるいは代わりに、与えられたＵＥ５２０、またはＵＥ５２０が属するＵＥカテゴリについて定義される最大処理損失は、デフォルトとして予測レート計算モジュール５１８によって利用され、または予測レート計算を実行する際のＵＥ５２０についての処理損失と仮定されることができる。上記で説明されるように、アンカーセル指定モジュール５１７、５１９（例えば、ＵＥ５２０および／またはセル５１０の一部分）は、制御信号をアドレス指定し、そして制御の観点から無線通信システムとのユーザ装置（ＵＥ）の相互作用（例えば、ＵＥに対して認可を供給すること／送信すること、ＵＥに対するダウンリンク／アップリンク上でのＡＣＫＳ、制御情報（ＣＱＩ）を送信すること／受信することなど）を表すことができる。したがって、高い接続性で単にデータを送信すること／受信することとは対照的に、アンカーセル指定モジュール５１７、５１９は、高品質の制御接続性を維持する制御アタッチメントポイントを可能にし、そこで、アップリンクにおけるアンカーセルは、ダウンリンクにおけるアンカーセルと同じ、または異なる可能性がある。
【００４３】
図６は、主題の革新の一態様による、アンカーセルを指定する関連した方法６００を示している。例示の方法は、ここにおいて、様々なイベントおよび／または動作を表す一連のブロックとして示され、そして説明されるが、主題の革新は、そのようなブロックの例示された順序によっては限定されない。例えば、いくつかの動作またはイベントは、革新に従って、ここにおいて示される順序とは別の、異なる順序で、かつ／または他の動作またはイベントと同時に、起こることができる。さらに、必ずしもすべての例示されたブロック、イベントまたは動作が、主題の革新に従って、方法をインプリメントするために必要とされる可能性があるとは限らない。さらに、革新による例示の方法および他の方法は、ここにおいて示され、説明される方法に関連して、そして同様に示され、または説明されていない他のシステムおよび装置に関連して、インプリメントされることができることが理解されるであろう。
【００４４】
最初に６１０において、判断基準が、制御アタッチメントポイントとしてのセルの指定のために定義され、かつ／または選択されることができる。例えば、そのような判断基準は、信号強度（例えば、アンカーセルとして最強信号を有するセルを指定すること）、制御データの既存の負荷（例えば、かなりの量の制御データを交換する複数のＶＯＩＰユーザを管理する別のセルではなくて、少数の最善努力ユーザを管理するセルを指定すること）に基づいたものとすることができる。その後に６２０において、セルは、アンカーセルとして、そして制御アタッチメントポイントとして指定されることができる。異なった表現をすると、６３０において、そのような制御アタッチメントポイントは、アンカーセルが、制御信号をアドレス指定し、そして制御の観点から無線通信システムとのユーザ装置（ＵＥ）の相互作用（例えば、ＵＥに対して認可を供給すること／送信すること、ＵＥに対するダウンリンク／アップリンク上でのＡＣＫＳ、制御情報（ＣＱＩ）を送信すること／受信することなど）を表すことを可能にする。次に６４０において、ＵＬアンカーセルは、バックホール上で他のセルと、ＵＥによって送信される関連情報（例えば、ＣＱＩ、ＡＣＫ）を共有することができ、そこでセルは、スケジューリング決定を一緒に、または別々に決定することができる。６４０において、スケジューリング決定（例えば、パワーレベル、ビーム方向など）は、バックホール上で交換されることができる。ＤＬアンカーセルは、スケジュールされたパケット情報を（ＣＲＳを使用する場合には、他のセルからのビーム方向を含めて）示すことができる。
【００４５】
図７は、主題の革新の一態様に従って１つのセルから別のセルへと制御アタッチメントポイントを動的に切り換える関連した方法７００を示している。最初に７１０において、アンカーセルが、制御アタッチメントポイントとして選択され、そして指定されることができる。その後に７２０において、無線通信におけるＵＥの状態が、変化するときに、別のセルが、アンカーセルを表すように選択されることができ（例えば、制御負荷や信号強度などのあらかじめ決定された判断基準は、制御アタッチメントの目的のための最善のセルであるとして異なるセルを指し示すことができる）、そこで、７３０において、最初のアンカーセルから後続のアンカーセルへの関連するハンドオフが、起こる。そのようなハンドオフは、さらに、深いフェイドと、その関連した期間とについてのかなり高い耐性を示すことができる。それ故に、制御負荷、チャネル品質などの判断基準に基づいたアンカーポイントの動的スイッチングおよび変化が、インプリメントされることができる。さらに７４０に示されるように、他の補助セルは、ＵＥ制御伝送（例えば、ＵＥ  ＡＣＫ）を監視することもでき、そして主題の革新のアンカーセルを使用することは、そのような監視を排除しない。例えば、１つのそのようなＯＴＡ監視は、ソフトハンドオフの場合を含むことができ、そこでＵＥ  ＡＣＫは、２つのセルによって監視される。そのような場合には、ＡＣＫは、ｃ−ＲＮＴＩ、セルの間でネゴシエートされるショートｃ−ＲＮＴＩなどのＵＥ  ＭＡＣＩＤに基づいてチャネル化される可能性がある。そのような構成は、さらに、あらかじめ決定された１組のリソースを指定することができ、そこで、ＡＣＫは、実際の割当てに基づいてそれがチャネル化されるようにするのではなくて、送信される。したがって、ＵＬアンカーセル、または補助セルは、たとえそれがＤＬ割当てについて知らないとしてもアップリンクＡＣＫを監視することができる。
【００４６】
図８は、アンカーセル（単数または複数）としてセル（単数または複数）を指定することを経由して、協調マルチポイント（ＣｏＭＰ）システムにおいてデータの伝送中に制御アタッチメントポイント（単数または複数）を使用することができる例示の通信システム８００を示している。そのようなアタッチメントポイントは、制御信号をアドレス指定し、そして制御の観点から無線通信システムとのユーザ装置（ＵＥ）の相互作用（例えば、ＵＥに対して認可を供給すること／送信すること、ＵＥに対するダウンリンク／アップリンク上でのＡＣＫＳ、制御情報（ＣＱＩ）を送信すること／受信することなど）を表すように、アンカーセルを指定する。
【００４７】
図８に示されるように、システム８００は、アクセスポイント基地局、ホーム進化型ノードＢユニット（ＨｅＮＢ）、ホームノードＢユニット（ＨＮＢ）、フェムトセルなどと称されることもできる複数のフェムトセル基地局を含むことができる。例えば、フェムトセル基地局（ＨｅＮＢ８１０）は、おのおの、例えば、１つまたは複数のユーザ住居８３０の中になど、対応する小規模ネットワーク環境の中にインストールされることができ、そしておのおの、関連する、そして同様にエイリアンの、モバイルデバイス（単数または複数）８２０をサーブするように構成されていることもできる。各ＨｅＮＢ８１０は、さらに、ＤＳＬルータ（図示されず）、または代わりにケーブルモデム（図示されず）を経由してインターネット８４０と、モバイルオペレータコアネットワーク８５０とに結合されることができる。
【００４８】
ここにおいて説明される実施形態は、３ＧＰＰの専門用語を使用しているが、それらの実施形態は、３ＧＰＰ（Ｒｅｌ９９、Ｒｅｌ５、Ｒｅｌ６、Ｒｅｌ７）技術、ならびに３ＧＰＰ２（１ｘＲＴＴ、１ｘＥＶ−ＤＯ  Ｒｅｌ０、ＲｅｖＡ、ＲｅｖＢ）技術、および他の知られている関連した技術に適用されることができることを理解すべきである。ここにおいて説明されるそのような実施形態においては、ＨｅＮＢ８１０の所有者は、モバイルオペレータコアネットワーク８５０を通して提供される、例えば、３Ｇモバイルサービスなどのモバイルサービスに加入することができ、そしてモバイルデバイス８２０は、マクロセル基地局８６０を経由したマクロセルラ環境においても、住居の小規模ネットワーク環境においても共に動作できる可能性がある。ＨｅＮＢ８１０は、既存の任意のモバイルデバイス８２０と後方互換性（backward compatible）があるようにすることができる。
【００４９】
ＨｅＮＢ８１０は、ＣＳＧ  ＨｅＮＢ（単数または複数）、ハイブリッドＨｅＮＢ（単数または複数）、および／またはオープンＨｅＮＢ（単数または複数）を含むことができることが、企図される。ＨｅＮＢ８１０は、制御アタッチメントポイントとして選択されることができ、そこで高い接続性で単にデータを送信すること／受信することとは対照的に、主題の革新は、高品質の制御接続性を維持する制御アタッチメントポイントを可能にする。以上で説明されるように、アップリンクにおけるアンカーセルは、ダウンリンクにおけるアンカーセルと同じ、または異なる可能性がある。ダウンリンクアンカーセルは、（ＵＬデータについての認可およびＡＣＫを含めて）すべてのＤＬ制御情報が送信される送信元のセルを表す。同様に、アップリンクアンカーセルは、ＵＥが、（ＤＬデータについてのＣＱＩおよびＡＣＫを含めて）アップリンク制御チャネルを送信する送信先のセルを表す。
【００５０】
図９は、協調マルチポイント（ＣｏＭＰ）システムにおいてデータの伝送中に制御アタッチメントポイント（単数または複数）を提供するシステム９００（例えば、無線通信装置に関連する）を示している。そのようなアタッチメントポイントは、アンカーセルが、制御信号をアドレス指定し、そして制御の観点から無線通信システムとのユーザ装置（ＵＥ）の相互作用（例えば、ＵＥに対して認可を供給すること／送信すること、ＵＥに対するダウンリンク／アップリンク上でのＡＣＫＳ、制御情報（ＣＱＩ）を送信すること／受信することなど）を表すことを可能にする。
【００５１】
システム９００は、例えば、基地局内に少なくとも部分的に存在することができる。図に示されるように、システム９００は、プロセッサ、ソフトウェア、またはそれらの組合せ（例えば、ファームウェア）によってインプリメントされる機能を表すことができる機能ブロックを含んでいる。システム９００は、一緒に動作することができる電気または電子のデバイスまたはコンポーネントの論理的グループ分け９０２を含んでいる。論理的グループ分け９０４は、アンカーセルとしてセルを指定するための電気コンポーネント（単数または複数）（例えば、指定する手段）を含むことができる。そのような論理的グループ分けは、あらかじめ決定された判断基準に基づいてアンカーセルの指定のためのしきい値を検証するための電気コンポーネント（単数または複数）（例えば、しきい値の満足を検証するための手段）を含む論理的グループ分け９０６をさらに含む。同様に、論理的グループ分け９０８は、バックホールにおいてセルの間で情報を交換するための電気コンポーネント（単数または複数）（例えば、情報を交換するための手段）を含む。さらに、論理的グループ分け９０７は、例えば、ＣｏＭＰ無線通信の一部分としてセルの間の協調が、共同データパケットを交換することを可能にするための電気コンポーネント（例えば、複数のセルの間の協調を可能にするための手段）を含む。さらに、論理的グループ分け９０９は、補助セルを経由してＵＥの制御伝送を監視するための電気コンポーネント（単数または複数）（例えば、制御伝送を監視するための手段）を含む。
【００５２】
さらに、論理的グループ分け９０２は、電気コンポーネント９０４、９０６、および９０８に関連する機能を実行するための命令を保持するメモリ９１０を含むことができる。メモリ９１０の外側にあるように示されているが、電気コンポーネント９０４、９０６、９０７、９０８、９０９は、メモリ９１０の内部に存在することができることを理解すべきである。
【００５３】
図１０は、主題の革新の制御アタッチメントポイントを組み込むことができる例示の無線通信システム１０００を示している。無線通信システム１０００は、簡潔にするために１つの基地局１０１０と、１つのモバイルデバイス１０５０とを示している。しかしながら、システム１０００は、複数の基地局および／または複数のモバイルデバイスを含むことができ、そこで追加の基地局および／またはモバイルデバイスは、下記で説明される基地局１０１０とモバイルデバイス１０５０との例と、実質的に類似している、あるいは異なっている可能性があることを理解すべきである。さらに、基地局１０１０および／またはモバイルデバイス１０５０は、その間の無線通信を容易にするために、ここにおいて説明されるシステムおよび／または方法を使用することができることを理解すべきである。
【００５４】
基地局１０１０において、いくつかのデータストリームについてのトラフィックデータは、データソース１０１２から送信（ＴＸ）データプロセッサ１０１４へと供給される。一例によれば、各データストリームは、それぞれのアンテナ上で送信されることができる。ＴＸデータプロセッサ１０１４は、そのデータストリームが、符号化されたデータを供給するために選択される特定の符号化スキームに基づいてトラフィックデータストリームをフォーマットし、符号化し、そしてインターリーブする。
【００５５】
各データストリームについての符号化データは、直交周波数分割多重化（ＯＦＤＭ）技法を使用してパイロットデータと多重化されることができる。追加して、または代わりに、パイロットシンボルは、周波数分割多重化（ＦＤＭ）され、時分割多重化（ＴＤＭ）され、または符号分割多重化（ＣＤＭ）されることができる。パイロットデータは、一般的に、知られている方法で処理される知られているデータパターンであり、そしてチャネル応答を推定するためにモバイルデバイス１０５０において使用されることができる。各データストリームについての多重化されたパイロットデータと符号化データとは、そのデータストリームが、変調シンボルを提供するために選択される特定の変調スキーム（例えば、二位相偏移変調(binary phase-shift keying)（ＢＰＳＫ）、四位相偏移変調(quadrature phase-shift keying)（ＱＰＳＫ）、多位相偏移変調(M-phase-shift keying)（Ｍ−ＰＳＫ）、多レベル直交振幅変調(M-quadrature amplitude modulation)（Ｍ−ＱＡＭ）など）に基づいて変調される（例えば、シンボルマッピングされる）ことができる。各データストリームについてのデータレート、符号化、および変調は、プロセッサ１０３０によって実行され、または提供される命令によって決定されることができる。
【００５６】
データストリームについての変調シンボルは、ＴＸ  ＭＩＭＯプロセッサ１０２０へと供給されることができ、このＴＸ  ＭＩＭＯプロセッサは、さらに、（例えば、ＯＦＤＭについての）変調シンボルを処理することができる。次いで、ＴＸ  ＭＩＭＯプロセッサ１０２０は、ＮＴ個の変調シンボルストリームをＮＴ個のトランスミッタ（ＴＭＴＲ）１０２２ａないし１０２２ｔへと供給する。様々な実施形態においては、ＴＸ  ＭＩＭＯプロセッサ１０２０は、データストリームのシンボルに対して、そしてシンボルが送信されているアンテナに対して、ビーム形成重みを適用する。
【００５７】
各トランスミッタ１０２２は、１つまたは複数のアナログ信号を供給するためにそれぞれのシンボルストリームを受信し、そして処理し、そしてさらに、ＭＩＭＯチャネル上での伝送のために適切な被変調信号を供給するために、それらのアナログ信号を調整する（例えば、増幅し、フィルタにかけ、そしてアップコンバートする）。さらに、トランスミッタ１０２２ａないし１０２２ｔからのＮＴ個の被変調信号は、それぞれＮＴ個のアンテナ１０２４ａないし１０２４ｔから送信される。
【００５８】
モバイルデバイス１０５０において、送信された被変調信号は、ＮＲ個のアンテナポート１０５２ａないし１０５２ｒによって受信され、そして各アンテナ１０５２からの受信信号は、それぞれのレシーバ（ＲＣＶＲ）１０５４ａないし１０５４ｒへと供給される。各レシーバ１０５４は、それぞれの信号を調整し（例えば、フィルタにかけ、増幅し、そしてダウンコンバートし）、サンプルを供給するために調整された信号をデジタル化し、そしてさらに、対応する「受信」シンボルストリームを供給するためにサンプルを処理する。
【００５９】
ＲＸデータプロセッサ１０６０は、ＮＴ個の「検出された」シンボルストリームを供給するために、特定のレシーバ処理技法に基づいてＮＲ個のレシーバ１０５４からのＮＲ個の受信シンボルストリームを受信し、そして処理することができる。ＲＸデータプロセッサ１０６０は、データストリームについてのトラフィックデータを回復するために、検出された各シンボルストリームを復調し、デインターリーブし、そして復号することができる。ＲＸデータプロセッサ１０６０による処理は、基地局１０１０においてＴＸ  ＭＩＭＯプロセッサ１０２０と、ＴＸデータプロセッサ１０１４とによって実行される処理と相補的である。プロセッサ１０７０は、上記で論じられるように、どのプリコーディング行列を利用すべきかを定期的に決定することができる。さらに、プロセッサ１０７０は、行列インデックス部分と、ランク値部分とを備える逆方向リンクメッセージを定式化することができる。
【００６０】
逆方向リンクメッセージは、通信リンクおよび／または受信データストリームに関する様々なタイプの情報を備えることができる。逆方向リンクメッセージは、やはりデータソース１０３６からいくつかのデータストリームについてのトラフィックデータを受信するＴＸデータプロセッサ１０３８によって処理され、変調器１０８０によって変調され、トランスミッタ１０５４ａないし１０５４ｒによって調整され、そして基地局１０１０へと送信して戻されることができる。
【００６１】
基地局１０１０において、モバイルデバイス１０５０からの被変調信号は、モバイルデバイス１０５０によって送信される逆方向リンクメッセージを抽出するために、アンテナポート１０２４によって受信され、レシーバ１０２２によって調整され、復調器１０４０によって復調され、そしてＲＸデータプロセッサ１０４２によって処理される。さらに、プロセッサ１０３０は、ビーム形成重みを決定するためにどのプリコーディング行列を使用すべきか、を決定するためにその抽出されたメッセージを処理することができる。
【００６２】
プロセッサ１０３０および１０７０は、それぞれ基地局１０１０と、モバイルデバイス１０５０とにおいてオペレーションを指示する（例えば、制御する、協調させる、管理するなどを行う）ことができる。それぞれのプロセッサ１０３０および１０７０は、プログラムコードとデータとを記憶するメモリ１０３２および１０７２に関連づけられることができる。プロセッサ１０３０および１０７０は、それぞれアップリンクおよびダウンリンクについての周波数およびインパルスの応答推定値を導き出すために計算を実行することもできる。
【００６３】
図１１は、協調マルチポイント（ＣｏＭＰ）システムにおいてデータの伝送中にアタッチメントポイントを指定することを可能にするシステム１１００の説明図である。システム１１００は、複数の受信アンテナ１１０６を通して１つまたは複数のモバイルデバイス１１０４から信号（単数または複数）を受信するレシーバ１１１０と、送信アンテナ１１０８を通して１つまたは複数のモバイルデバイス１１０４へと送信するトランスミッタ１１２４とを有する基地局１１０２（例えば、アクセスポイント、...）を備える。レシーバ１１１０は、受信アンテナポート１１０６から情報を受信することができ、そして受信情報を復調する復調器１１１２に動作的に関連づけられる。復調されたシンボルは、以上で説明されたプロセッサに類似したものとすることができるプロセッサ１１１４によって分析され、そしてこのプロセッサは、モバイルデバイス（単数または複数）１１０４へと送信され、またはそれから受信されるべきデータ、および／またはここにおいて説明される様々なアクションおよび機能を実行することに関連した他の適切な任意の情報、を記憶するメモリ１１１６に結合される。プロセッサ１１１４は、さらに、指定コンポーネント１１２０と、しきい値検証コンポーネント１１１８とに結合される。以上で説明されるように、指定コンポーネント１１２０は、制御信号をアドレス指定し、そして制御の観点から無線通信システムとのユーザ装置（ＵＥ）の相互作用（例えば、ＵＥに対して認可を供給すること／送信すること、ＵＥに対するダウンリンク／アップリンク上でのＡＣＫＳ、制御情報（ＣＱＩ）を送信すること／受信することなど）を表すようにアンカーセルに指定する。同様に、しきい値検証コンポーネント１１１８は、アンカーセルの選択のためのあらかじめ決定された判断基準（例えば、信号強度）が、満たされているかどうか、および／またはＵＥの状態に変化があったかどうかと、アンカーセルに関連する状態の変化が必要になるかどうかと、を検証することができる。基地局１１０２は、変調器１１２２をさらに含むことができる。変調器１１２２は、上述の説明に従ってモバイルデバイス（単数または複数）１１０４に対するアンテナ１１０８を通しての、トランスミッタ１１２４による伝送のためのフレームを多重化することができる。プロセッサ１１１４とは別であるように示されているが、識別情報公示コンポーネント(identity advertising component)１１１８、モード公表コンポーネント１１２０、および／または変調器１１２２は、プロセッサ１１１４、またはいくつかのプロセッサ（図示されず）の一部分とすることができることを理解すべきである。
【００６４】
図１２は、協調マルチポイント（ＣｏＭＰ）システムにおいてデータの伝送中における制御アタッチメントポイント（単数または複数）との相互作用のための、主題の革新のさらなる態様によるモバイルデバイスを示している。モバイルデバイス１２００は、例えば、受信アンテナ（図示されず）から信号を受信するレシーバ１２０２を備え、そしてその上で受信信号に対して典型的なアクションを実行し（例えば、フィルタにかける、増幅する、ダウンコンバートするなどを行い）、そしてサンプルを得るために調整された信号をデジタル化する。レシーバ１２０２は、例えば、ＭＭＳＥレシーバとすることができ、そして受信シンボルを復調し、そしてチャネル推定のためにそれらをプロセッサ１２０６へと供給することができる復調器１２０４を備えることができる。一例によれば、レシーバ１２０２は、それに対する基地局の識別情報に続く公示された信号を得ることができる。プロセッサ１２０６は、レシーバ１２０２によって受信される情報を分析すること、および／またはトランスミッタ１２１６による送信のための情報を生成することに専用のプロセッサ、モバイルデバイス１２００の１つまたは複数のコンポーネントを制御するプロセッサ、および／またはレシーバ１２０２によって受信される情報を分析し、トランスミッタ１２１６による送信のための情報を生成し、そしてモバイルデバイス１２００の１つまたは複数のコンポーネントを制御することも共に行うプロセッサとすることができる。
【００６５】
モバイルデバイス１２００は、プロセッサ１２０６に動作的に結合され、そして送信されるべきデータと、受信データと、ここにおいて説明される様々なアクションおよび機能を実行することに関連した他の適切な任意の情報と、を記憶することができるメモリ１２０８をさらに備えることができる。メモリ１２０８は、例えば、無線通信システムにおいて基地局によって公示される、アンテナポートの適応する数に関連した取得信号を分析することに関連するプロトコルおよび／またはアルゴリズムを記憶することができる。アンテナポートの数を決定する際のそのような適応的特徴は、基地局（単数または複数）が、全体として見て無線システムの全般的な効率のよいオペレーションのためにレガシーＵＥと新しいＵＥ（例えば、ＬＴＥ−Ａ）との要件をインテリジェントにバランスさせることを可能にする。さらに、メモリ１２０８は、新しいユーザについての性能利得をレガシーユーザについての性能悪化のためのオフセットとしてバランスさせることに関連するプロトコルおよび／またはアルゴリズムを記憶することができる。
【００６６】
ここにおいて説明されるデータストア（例えば、メモリ１２０８）は、揮発性メモリまたは不揮発性メモリのいずれかとすることもでき、あるいは揮発性と不揮発性との両方のメモリを含むことができることを理解すべきである。例証として、限定するものではないが、不揮発性メモリは、リードオンリーメモリ(read only memory)（ＲＯＭ）、プログラマブルＲＯＭ（programmable ROM）（ＰＲＯＭ）、電気的プログラマブルＲＯＭ(electrically programmable ROM)（ＥＰＲＯＭ）、電気的消去可能ＰＲＯＭ(electrically erasable PROM)（ＥＥＰＲＯＭ）、またはフラッシュメモリを含むことができる。揮発性メモリは、ランダムアクセスメモリ(random access memory)（ＲＡＭ）を含むことができ、これは外部キャッシュメモリとしての役割を果たす。例証として限定するものではないが、ＲＡＭは、シンクロナスＲＡＭ(synchronous RAM)（ＳＲＡＭ）、ダイナミックＲＡＭ(dynamic RAM)（ＤＲＡＭ）、シンクロナスＤＲＡＭ(synchronous DRAM)（ＳＤＲＡＭ）、ダブルデータレートＳＤＲＡＭ(double data rate SDRAM)（ＤＤＲ  ＳＤＲＡＭ）、拡張ＳＤＲＡＭ(enhanced SDRAM)（ＥＳＤＲＡＭ）、シンクリンクＤＲＡＭ(Synchlink DRAM)（ＳＬＤＲＡＭ）、ダイレクトラムバスＲＡＭ(direct Rambus RAM)（ＤＲＲＡＭ）など、多数の形態で使用可能である。主題のシステムおよび方法のメモリ１２０８は、それだけに限定されることなく、これらおよび他の適切な任意のタイプのメモリを備えるように意図される。プロセッサ１２０６とは別であるように図示されているが、変調器１２１４は、プロセッサ１２０６、またはいくつかのプロセッサ（図示されず）の一部分とすることができることを理解すべきである。
【００６７】
ここにおいて開示される実施形態に関連して説明される様々な例示の論理、論理ブロック、モジュール、および回路は、ここにおいて説明される機能を実行するように設計された、汎用プロセッサ、デジタル信号プロセッサ(digital signal processor)（ＤＳＰ）、特定用途向け集積回路(application specific integrated circuit)（ＡＳＩＣ）、フィールドプログラマブルゲートアレイ(field programmable gate array)（ＦＰＧＡ）または他のプログラマブル論理デバイス、ディスクリートなゲートまたはトランジスタの論理、ディスクリートハードウェアコンポーネント(discrete hardware components)、あるいはそれらの任意の組合せ、を用いてインプリメントされ、または実行されることができる。汎用プロセッサは、マイクロプロセッサとすることもできるが、代替案においては、プロセッサは、従来の任意のプロセッサ、コントローラ、マイクロコントローラ、または状態機械とすることもできる。プロセッサは、コンピューティングデバイスの組合せ、例えば、ＤＳＰとマイクロプロセッサとの組合せ、複数のマイクロプロセッサ、ＤＳＰコアと組み合わされた１つまたは複数のマイクロプロセッサ、あるいは他のそのような任意のコンフィギュレーション、としてインプリメントされることもできる。さらに、少なくとも１つのプロセッサは、上記で説明される１つまたは複数のステップおよび／またはアクションを実行するように動作可能な１つまたは複数のモジュールを備えることもできる。
【００６８】
さらに、ここにおいて開示される態様に関連して説明される方法またはアルゴリズムについてのステップおよび／またはアクションは、ハードウェアの形で直接に、プロセッサによって実行されるソフトウェアモジュールの形で、あるいはそれら２つの組合せの形で実施されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ−ＲＯＭ、または当技術分野において知られている他の任意の形態のストレージ媒体の中に存在することができる。例示のストレージ媒体は、プロセッサが、ストレージ媒体から情報を読み取り、そしてストレージ媒体へと情報を書き込むことができるように、プロセッサに結合されることができる。代替案においては、ストレージ媒体は、プロセッサと一体になっていることもできる。さらに、いくつかの態様においては、プロセッサとストレージ媒体とは、ＡＳＩＣの中に存在することができる。さらに、ＡＳＩＣは、ユーザ端末の中に存在することもできる。代替案においては、プロセッサと、ストレージ媒体とは、ユーザ端末の中の個別コンポーネント(discrete components)として存在することもできる。さらに、いくつかの態様においては、方法またはアルゴリズムのステップおよび／またはアクションは、機械可読媒体および／またはコンピュータ可読媒体の上のコードおよび／または命令のうちの１つあるいは任意の組合せまたは組として存在することもでき、これらの媒体は、コンピュータプログラムプロダクトの中に組み込まれていることができる。
【００６９】
１つまたは複数の例示の実施形態においては、説明される機能は、ハードウェア、ソフトウェア、ファームウェア、またはそれらの任意の組合せの形でインプリメントされることができる。ソフトウェアの形でインプリメントされる場合、機能は、コンピュータ可読媒体上で１つまたは複数の命令またはコードとして記憶され、あるいは送信されることができる。コンピュータ可読媒体は、ある場所から別の場所へのコンピュータプログラムの転送を容易にする任意の媒体を含めて、コンピュータストレージ媒体と、通信媒体との両方を含んでいる。ストレージ媒体は、コンピュータによってアクセスされることができる使用可能な任意の媒体とすることができる。例として、限定するものではないが、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令もしくはデータ構造の形態で望ましいプログラムコードを搬送し、または記憶するために使用されることができ、そしてコンピュータによってアクセスされることができる他の任意の媒体、を備えることができる。また、任意の接続も、コンピュータ可読媒体と適切に名づけられることができる。例えば、ソフトウェアが、同軸ケーブル、光ファイバケーブル、ツイストペア(twisted pair)、デジタル加入者回線(digital subscriber line)（ＤＳＬ）、または赤外線、無線、マイクロ波などの無線技術を使用して、ウェブサイト、サーバ、または他のリモートソースから送信される場合、そのときには同軸ケーブル、光ファイバケーブル、ツイストペア、ＤＳＬ、または赤外線、無線、マイクロ波などの無線技術は、媒体の定義の中に含まれる。ここにおいて使用されるようなディスク(Disk)およびディスク(disc)は、コンパクトディスク(compact disc)（ＣＤ）、レーザーディスク（登録商標）(laser disc)、光ディスク(optical disc)、デジタル多用途ディスク(digital versatile disc)（ＤＶＤ）、フロッピー（登録商標）ディスク(floppy（登録商標） disk)、およびブルーレイ（登録商標）ディスク(blu-ray disc)を含み、ここでディスク(disks)は通常、データを磁気的に再生するが、ディスク(discs)は、レーザを用いて光学的にデータを再生する。上記の組合せもまた、コンピュータ可読媒体の範囲内に含められるべきである。
【００７０】
上記の開示は、例示の態様および／または実施形態について論じているが、様々な変更および修正が、添付の特許請求の範囲によって定義されるような説明された態様および／または実施形態の範囲を逸脱することなく、ここにおいて行われることができることに注意すべきである。さらに、説明された態様および／または実施形態の要素は、単数形で説明され、または請求される可能性があるが、単数形への限定が、明示的に述べられていない限り、複数形も、企図される。さらに、任意の態様および／または実施形態のすべてまたは一部分は、その他の方法で述べられていない限り、他の任意の態様および／または実施形態のすべてまたは一部分と共に利用されることもできる。
下記に出願時の請求項１−５０に対応する記載を付記１−５０として表記する。
付記１
無線通信システムにおいて使用される方法であって、
ユーザ装置を用いて共同データパケットを交換するように複数のセルの間で協調することと、
前記ユーザ装置を用いて制御信号方式を管理するために、アンカーセルおよび制御アタッチメントポイントとしてセルを指定することと、
を備える方法。
付記２
すべてのダウンリンク制御情報を送信するダウンリンクアンカーセルとして前記セルを指定すること、をさらに備える付記１に記載の方法。
付記３
前記ユーザ装置からアップリンク制御チャネルを受信するアップリンクアンカーセルとして別のセルを指定すること、をさらに備える付記２に記載の方法。
付記４
ダウンリンクとアップリンクとについての前記アンカーセルが、一致する、付記２に記載の方法。
付記５
データのバックホール転送を経由して前記複数のセルの間で情報について共有すること、をさらに備える付記１に記載の方法。
付記６
前記の情報について共有することは、スケジューリング決定を含む、付記５に記載の方法。
付記７
前記複数のセルは、一緒にまたは別々に前記スケジューリング決定を決定する、付記６に記載の方法。
付記８
補助セルを経由して前記ユーザ装置の制御伝送を監視すること、をさらに備える付記１に記載の方法。
付記９
前記の監視することは、ソフトハンドオフシナリオを経由して前記ユーザ装置についてオーバーザエア（ＯＴＡ）監視すること、をさらに備える付記８に記載の方法。
付記１０
ｃ−ＲＮＴＩベースの肯定応答をネゴシエートすること、をさらに備える付記９に記載の方法。
付記１１
最初のセルから後続のセルへと前記アンカーセルについてのハンドオフを実行すること、をさらに備える付記１に記載の方法。
付記１２
前記アンカーセルとして最強信号を有するセルを指定すること、をさらに備える付記１０に記載の方法。
付記１３
前記アンカーセルとして前記セルを指定するための判断基準として制御データの現在の負荷を使用すること、をさらに備える付記１０に記載の方法。
付記１４
前記の指定することについての判断基準を定義するしきい値の満足を検証すること、をさらに備える付記１０に記載の方法。
付記１５
セルについての干渉を推定すること、をさらに備える付記１に記載の方法。
付記１６
付記１に記載の方法を実行するように構成された電子デバイス。
付記１７
複数のセルの間の協調が、ユーザ装置を用いて共同データパケットを交換することを可能にするように、そして
前記ユーザ装置を用いて制御信号方式を管理するために、アンカーセルおよび制御アタッチメントポイントとしてセルを指定するように、
構成された少なくとも１つのプロセッサ、
を備える無線通信装置。
付記１８
前記少なくとも１つのプロセッサは、さらに、すべてのダウンリンク制御情報を送信するダウンリンクアンカーセルとして前記セルを指定するように構成されている、付記１７に記載の無線通信装置。
付記１９
前記少なくとも１つのプロセッサは、さらに、前記ユーザ装置からアップリンク制御チャネルを受信するアップリンクアンカーセルとして別のセルを指定するように構成されている、付記１８に記載の無線通信装置。
付記２０
前記少なくとも１つのプロセッサは、さらに、データのバックホール転送を経由して前記複数のセルの間で情報を共有することを可能にするように構成されている、付記１７に記載の無線通信装置。
付記２１
前記少なくとも１つのプロセッサは、さらに、補助セルを経由して前記ユーザ装置の制御伝送を監視するように構成されている、付記１７に記載の無線通信装置。
付記２２
前記の監視することは、ソフトハンドオフシナリオを経由して前記ユーザ装置についてのオーバーザエア（ＯＴＡ）監視すること、をさらに備える、付記２１に記載の無線通信装置。
付記２３
前記少なくとも１つのプロセッサは、さらに、ｃ−ＲＮＴＩベースの肯定応答をネゴシエートするように構成されている、付記２２に記載の無線通信装置。
付記２４
前記少なくとも１つのプロセッサは、さらに、最初のセルから後続のセルへと前記アンカーセルをハンドオフするように構成されている、付記１７に記載の無線通信装置。
付記２５
前記少なくとも１つのプロセッサは、さらに、前記アンカーセルとして最強信号を有するセルを指定するように構成されている、付記１７に記載の無線通信装置。
付記２６
前記少なくとも１つのプロセッサは、さらに、前記アンカーセルとして前記の前記セルを指定することのための判断基準を定義するしきい値の満足を検証するように構成されている、付記１７に記載の無線通信装置。
付記２７
前記少なくとも１つのプロセッサは、さらに、セルについての干渉を推定するように構成されている、付記１７に記載の無線通信装置。
付記２８
複数のセルの間の協調が、ユーザ装置を用いて共同データパケットを交換することを可能にするための手段と、
前記ユーザ装置を用いて制御信号方式を管理するために、アンカーセルおよび制御アタッチメントポイントとしてセルを指定するための指定する手段と、
を備える装置。
付記２９
前記指定する手段は、すべてのダウンリンク制御情報を送信するダウンリンクアンカーセルとして前記セルを指定する、付記２８に記載の装置。
付記３０
前記指定する手段は、前記ユーザ装置からアップリンク制御チャネルを受信するアップリンクアンカーセルとして別のセルを指定する、付記２９に記載の装置。
付記３１
データのバックホール転送を経由して前記複数のセルの間で情報を交換するための手段、をさらに備える付記２８に記載の装置。
付記３２
前記アンカーセルとして前記セルを指定するための判断基準に関連したしきい値の満足を検証するための手段、をさらに備える付記２８に記載の装置。
付記３３
前記複数のセルは、一緒にまたは別々にスケジューリング決定を決定することができる、付記２８に記載の装置。
付記３４
補助セルを経由して前記ユーザ装置の制御伝送を監視するための手段、をさらに備える付記２８に記載の装置。
付記３５
前記ユーザ装置の制御伝送を監視するための前記手段は、ソフトハンドオフシナリオを経由して前記ユーザ装置のオーバーザエア（ＯＴＡ）監視することを使用する、付記３４に記載の装置。
付記３６
前記ユーザ装置の制御伝送を監視するための前記手段は、ｃ−ＲＮＴＩベースの肯定応答をネゴシエートすることを使用する、付記３５に記載の装置。
付記３７
前記指定する手段は、前記アンカーセルとして最強信号を有するセルを指定する、付記２８に記載の装置。
付記３８
複数のセルの間の協調が、ユーザ装置を用いて共同データパケットを交換することを可能にするためのコードと、
前記ユーザ装置を用いて制御信号方式を管理するために、アンカーセルおよび制御アタッチメントポイントとしてセルを指定するためのコードと、
を備えるコンピュータ可読媒体、
を備えるコンピュータプログラムプロダクト。
付記３９
ダウンリンクアンカーセルとして前記セルをそしてアップリンクアンカーセルとして別のセルを指定するためのコード、をさらに備える付記３８に記載のコンピュータプログラムプロダクト。
付記４０
データのバックホール転送を経由して前記複数のセルの間で情報を共有するためのコード、をさらに備える付記３８に記載のコンピュータプログラムプロダクト。
付記４１
補助セルを経由して前記ユーザ装置の制御伝送を監視するためのコード、をさらに備える付記３８に記載のコンピュータプログラムプロダクト。
付記４２
ｃ−ＲＮＴＩベースの肯定応答をネゴシエートするためのコード、をさらに備える付記３８に記載のコンピュータプログラムプロダクト。
付記４３
最初のセルから後続のセルへと前記アンカーセルをハンドオフするためのコード、をさらに備える付記３８に記載のコンピュータプログラムプロダクト。
付記４４
速いハンドオフについての要件を軽減するためのコード、をさらに備える付記４３に記載のコンピュータプログラムプロダクト。
付記４５
前記アンカーセルとして最強信号を有するセルを指定するためのコード、をさらに備える付記４３に記載のコンピュータプログラムプロダクト。
付記４６
前記の指定することのための判断基準を定義するしきい値の満足を検証するためのコード、をさらに備える付記４３に記載のコンピュータプログラムプロダクト。
付記４７
無線基地局における装置であって、協調マルチポイントシステムにおいてユーザ装置を用いて制御信号方式を管理するために、アンカーセルとして制御アタッチメントポイントを指定する指定コンポーネントと、
前記アンカーセルとしてのセルの指定のための判断基準の満足を検証するしきい値検証コンポーネントと、
を備える装置。
付記４８
前記協調マルチポイントシステムの一部分として予測データレートに対してＵＥをマッピングする予測レート計算モジュール、をさらに備える付記４７に記載の装置。
付記４９
前記協調マルチポイントシステムについてのスケジューリング決定を容易にする処理損失インジケータモジュール、をさらに備える付記４７に記載の装置。
付記５０
前記協調マルチポイントシステムについてのユーティリティ計算を実行するユーティリティ計算モジュール、をさらに備える付記４７に記載の装置。
【図１】
0005474992.tif 000002
【図２】
0005474992.tif 000003
【図３】
0005474992.tif 000004
【図４】
0005474992.tif 000005
【図５】
0005474992.tif 000006
【図６】
0005474992.tif 000007
【図７】
0005474992.tif 000008
【図８】
0005474992.tif 000009
【図９】
0005474992.tif 000010
【図１０】
0005474992.tif 000011
【図１１】
0005474992.tif 000012
【図１２】
0005474992.tif 000013